(57)【要約】【課題】印刷物の原複を判定することができ、且つ、従来の多色発光インクに比べて容易に取り扱うことができる多色発光トナーを提供する。【解決手段】特定波長の光の照射によって赤色に発光する透明赤蛍光トナー粒子の集合からなる透明赤蛍光トナーを定量供給する第１定量供給ポンプ１０１と、特定波長の光の照射によって緑色に発光する透明緑蛍光トナー粒子の集合からなる透明緑蛍光トナーを定量供給する第２定量供給ポンプ１０２と、特定波長の光の照射によって青色に発光する透明青蛍光トナー粒子の集合からなる透明青蛍光トナーを定量供給する第３定量供給ポンプ１０３とにより、それらトナーを任意の混合比で混ぜて、多色発光トナーを製造する。【選択図】図７
2014013267.tif 000002
【特許請求の範囲】
【請求項１】
トナー粒子の集合からなり且つ特定波長の光照射に伴って発光する粉状の蛍光トナーとして、互いに発光波長が異なる複数種類の蛍光トナーをそれぞれ特定の比率で含有していることを特徴とする多色蛍光トナー。
【請求項２】
請求項１の多色蛍光トナーにおいて、
前記複数種類の蛍光トナーとしてそれぞれ、特定波長の光が照射されていないときに無色透明であるものを用いたことを特徴とする多色蛍光トナー。
【請求項３】
内部に収容しているトナーを撹拌手段によって撹拌するためのトナー撹拌室と、トナー収容部に収容している蛍光トナーを定量しながら前記トナー撹拌室に供給する複数のトナー定量供給手段と、複数の前記トナー定量供給手段によって互いに発光波長が異なる蛍光トナーをそれぞれ任意の比率で前記トナー撹拌室に供給しながら前記撹拌手段によって撹拌することで、請求項１又は２の多色蛍光トナーを調合する処理を実施する制御手段とを有することを特徴とするトナー調合装置。
【請求項４】
請求項３のトナー調合装置において、
トナー収容部に収容している非蛍光透明トナーを前記トナー撹拌室に供給する非蛍光透明トナー供給手段と、前記トナー撹拌室内からトナーを排出するトナー排出手段とを設けるとともに、複数の前記蛍光トナー定量供給手段の駆動を停止した状態で、前記非蛍光透明トナー供給手段によって非蛍光透明トナーを前記トナー撹拌室に供給しながら、前記トナー排出手段によって前記トナー撹拌室内からトナーを排出することで、前記トナー撹拌室内の蛍光トナーを非蛍光透明トナーによって洗い流す洗浄処理を実施するように、前記制御手段を構成したことを特徴とするトナー調合装置。
【請求項５】
ユーザーから与えられた画像情報に基づいて、有色トナーを用いて有色トナー像を作像する有色作像手段と、前記有色作像手段によって作像されたトナー像を記録シートに定着せしめる定着手段とを備える画像形成装置において、
請求項１又は２の多色蛍光トナーを用いて多色蛍光トナー像を作像する蛍光作像手段と、請求項３又は４のトナー調合装置とを設け、前記トナー調合装置によって調合された請求項１又は２の多色蛍光トナーを前記蛍光作像手段に供給するようにしたことを特徴とする画像形成装置。
【請求項６】
請求項５の画像形成装置において、
記録シートに定着された前記多色蛍光トナー像の分光スペクトルを測定するスペクトル測定手段と、前記スペクトル測定手段によって測定された分光スペクトルのデータを所定の識別情報に関連付けてデータテーブルとして記憶する情報記憶手段とを設けたことを特徴とする画像形成装置。
【請求項７】
印刷物についてのオリジナルであるか否かの判定を支援するための判定支援装置において、
請求項１又は２の多色蛍光トナーによって形成されたベタ画像の分光スペクトルのスデータを記憶している情報記憶手段と、被検対象となる印刷物の所定箇所に形成されているベタ画像の分光スペクトルを測定するスペクトル測定手段と、前記スペクトル測定手段によって測定された分光スペクトルのグラフを、前記情報記憶手段に記憶されている分光スペクトルのグラフと重ねてあるいは並べて表示する表示手段とを備えることを特徴とする判定支援装置。
【発明の詳細な説明】
【技術分野】
【０００１】
本発明は、画像形成装置に用いられる多色蛍光トナーに関するものである。また、多色蛍光トナーを取り扱うトナー調合装置、画像形成装置、及び判定支援装置に関するものである。
【背景技術】
【０００２】
画像形成装置が一般市場に広く出回るようになった近年においては、画像の複製を高品質で行えるようになった。このため、画像が印刷された印刷物について原本であるのか、あるいは複製品であるのかを見分ける（以下、原複を見分けるという）ことが困難になってきている。
【０００３】
印刷物の原複を見分けるのに有用な印刷材としては、特許文献１に記載の多色蛍光インクが知られている。この多色蛍光インクは、紫外線の照射に伴って互いに異なる波長で発光する複数種類の発光体をそれぞれ所定の比率で溶媒（インキ用ヒビクル）に分散せしめたものである。この多色蛍光インクを用いて形成したベタ画像に短波紫外線を照射してその分光スペクトルを測定すると、複数種類の発光体がそれぞれ特有の周波数帯域で顕著に発光することを示す複雑な形状の基準分光スペクトルが得られる。複数の発光体の種類やそれらの混合比率を全く知らない者が、そのような複雑な形状の基準分光スペクトルとほぼ同じパターンの分光スペクトルが得られる多色蛍光インクを調合することは極めて困難である。このような多色蛍光インクを用いて印刷物の特定箇所に判定用のベタ画像を形成しておけば、原本であることを証明するための手段としてそのベタ画像を利用することが可能になる。そして、被検対象となる印刷物に形成されているベタ画像に短波紫外線を照射して得た分光スペクトルと、前述の基準分光スペクトルとについて、一致するか否かを判定することで、被検対象の印刷物について原複を判定することができる。
【発明の概要】
【発明が解決しようとする課題】
【０００４】
しかしながら、この多色蛍光インクは、溶媒が蒸発してインク濃度が濃くなると、その分光スペクトルが上述した基準分光スペクトルとは異なったものになることから、印刷物の原複を正確に判定することが困難になってしまう。このため、密閉性の高い容器で保存したり、密閉性を確保することが困難な画像形成装置にセットしてからの有効使用時間が短かったりなど、取り扱いが難しいという問題があった。
【０００５】
本発明は、以上の背景に鑑みてなされたものであり、その目的とするところは、印刷物の原複を判定することができ、且つ、従来の多色発光インクに比べて容易に取り扱うことができる多色発光トナーを提供することである。また、かかる多色発光トナーを取り扱うトナー調合装置、画像形成装置、及び判定支援装置を提供することである。
【課題を解決するための手段】
【０００６】
上記目的を達成するために、本発明の多色蛍光トナーは、トナー粒子の集合からなり且つ特定波長の光照射に伴って発光する粉状の蛍光トナーとして、互いに発光波長が異なる複数種類の蛍光トナーをそれぞれ特定の比率で含有していることを特徴とするものである。
また、本発明のトナー調合装置は、内部に収容しているトナーを撹拌手段によって撹拌するためのトナー撹拌室と、トナー収容部に収容している蛍光トナーを定量しながら前記トナー撹拌室に供給する複数のトナー定量供給手段と、複数の前記トナー定量供給手段によって互いに発光波長が異なる蛍光トナーをそれぞれ任意の比率で前記トナー撹拌室に供給しながら前記撹拌手段によって撹拌することで、本発明の多色蛍光トナーを調合する処理を実施する制御手段とを有することを特徴とするものである。
また、本発明の画像形成装置は、ユーザーから与えられた画像情報に基づいて、有色トナーを用いて有色トナー像を作像する有色作像手段と、前記有色作像手段によって作像されたトナー像を記録シートに定着せしめる定着手段とを備えるという構成において、本発明の多色蛍光トナーを用いて多色蛍光トナー像を作像する蛍光作像手段と、本発明のトナー調合装置とを設け、前記トナー調合装置によって調合された本発明の多色蛍光トナーを前記蛍光作像手段に供給するようにしたことを特徴とするものである。
また、本発明の判定支援装置は、印刷物についてのオリジナルであるか否かの判定を支援するために、請求項１又は２の多色蛍光トナーによって形成されたベタ画像の分光スペクトルのスデータを記憶している情報記憶手段と、被検対象となる印刷物の所定箇所に形成されているベタ画像の分光スペクトルを測定するスペクトル測定手段と、前記スペクトル測定手段によって測定された分光スペクトルのグラフを、前記情報記憶手段に記憶されている分光スペクトルのグラフと重ねてあるいは並べて表示する表示手段とを備えることを特徴とするものである。
【発明の効果】
【０００７】
本発明の多色蛍光トナーにおいては、それによって形成されたベタ画像に対して特定波長の光を照射してその分光スペクトルを測定すると、複数種類の蛍光トナーがそれぞれ特有の周波数帯域で顕著に発光することを示す複雑な形状の基準分光スペクトルが得られる。それらの蛍光トナーにそれぞれ含まれる複数の発光体の種類や、蛍光トナーの混合比率を全く知らない者が、そのような複雑な形状の基準分光スペクトルとほぼ同じパターンの分光スペクトルが得られる多色蛍光トナーを調合することは極めて困難である。このため、本発明の多色蛍光トナーを用いて印刷物の特定箇所に判定用のベタ画像を形成しておけば、印刷物の原複を判定することができる。また、粉状の多色蛍光トナーは、顔料を分散せしめるための溶媒などの液体を含有していないことから、液体の蒸発による分光スペクトルの変化を生ずることがない。このため、溶媒の蒸発によって分光スペクトルを変化させてしまう特許文献１の多色蛍光インクに比べて容易に取り扱うことができる。
【０００８】
また、本発明のトナー調合装置においては、発光波長の異なる蛍光トナーをそれぞれ所定の比率で混合することで、本発明の多色蛍光トナーを容易に調合することができる。更には、調合に用いる蛍光トナーの種類を変えたり、調合の比率を任意に変えたりすることで、基準分光スペクトルの異なる複数種類の多色蛍光トナーを容易に得ることができる。
【０００９】
また、本発明の画像形成装置においては、ユーザーから与えられた画像情報に基づく画像を印刷物に形成する他に、本発明の多色蛍光トナーを用いたベタ画像を印刷物に形成することで、原複を判定することが可能な印刷物を作成することができる。また、本発明のトナー調合装置を備えることで、画像情報に基づいて形成する画像と、判定用のベタ画像の基準分光スペクトルとの組み合わせが互いに異なる複数種類の印刷物を容易に作成することができる。
【００１０】
また、本発明の判定支援装置においては、予め記憶している基準分光スペクトルのグラフと、被検対象となる印刷物の所定箇所に形成されているベタ画像の分光スペクトルを測定して得たグラフとを、表示手段によって互いに重ねてあるいは並べて表示することで、印刷物のベタ画像から得られた分光スペクトルについて、基準スペクトルと一致するか否かをユーザーに対して容易に判断してもらうことができる。
【図面の簡単な説明】
【００１１】
【図１】実施形態に係る透明多色蛍光トナーに混合される透明赤蛍光トナーだけによって形成されたベタ画像の分光スペクトルの一例を示すグラフ。
【図２】同透明多色蛍光トナーに混合される透明緑蛍光トナーだけによって形成されたベタ画像の分光スペクトルの一例を示すグラフ。
【図３】同透明多色蛍光トナーに混合される透明青蛍光トナーだけによって形成されたベタ画像の分光スペクトルの一例を示すグラフ。
【図４】透明トナーと同透明赤蛍光トナーとの混合比を変化させた場合における分光スペクトルの変化を示すグラフ。
【図５】透明トナーと同透明緑蛍光トナーとの混合比を変化させた場合における分光スペクトルの変化を示すグラフ。
【図６】透明トナーと同透明青蛍光トナーとの混合比を変化させた場合における分光スペクトルの変化を示すグラフ。
【図７】実施形態に係るトナー調合装置を示す概略構成図。
【図８】実施形態に係る画像形成装置のプリンタ部を示す概略構成図。
【図９】実施形態に係る画像形成装置のプリンタ部によって画像が形成された印刷済み記録シートの一例を示す模式図。
【図１０】実施形態に係る画像形成装置のスペクトル測定装置を、外部入力機器とともに示すブロック構成図。
【図１１】同外部入力機器の制御部によって実施されるオリジナルスペクトル記憶処理における各工程を示すフローチャート。
【図１２】同制御部によって実施される被検スペクトル測定表示処理における各工程を示すフローチャート。
【図１３】同外部入力機器の表示装置に表示されるスペクトル比較画面を示す模式図。
【図１４】変形例に係る画像形成装置のプリンタ部によって画像が形成された印刷済み記録シートの一例を示す模式図。
【図１５】トナーの混合比率とそれによって表される記号との関係を示す表。
【発明を実施するための形態】
【００１２】
まず、本発明を適用した多色蛍光トナーとして、透明多色蛍光トナーの実施形態について説明する。
本発明の多色蛍光トナーは、トナー粒子の集合からなり且つ特定波長の光照射に伴って発光する粉状の蛍光トナーとして、互いに発光波長が異なる複数種類の蛍光トナーをそれぞれ特定の比率で含有しているものである。そして、実施形態に係る透明多色蛍光トナーは、複数種類の蛍光トナーとして、透明赤蛍光トナーと、透明緑蛍光トナーと、透明青蛍光トナーとをそれぞれ所定の比率で含有しているものである。
【００１３】
透明赤蛍光トナーを構成するトナー粒子は、透明の母材樹脂や、母材樹脂中に分散せしめられた赤発光体などからなるものである。かかるトナー粒子の集合からなる透明赤蛍光トナーは、室内光の下ではほぼ無色透明であるが、特定波長の紫外線が照射されると赤色に発光する性質を有している。特定波長の紫外線の照射によって赤色に発光する赤発光体としては、「Ｙ２Ｏ３：Ｅｕ」、「（ＳｒＭｇ）３（ＰＯ４）２：Ｓｎ」、Ｙ２Ｏ３Ｓ：Ｅｕ」などが知られている。
【００１４】
図１は、実施形態に係る透明多色蛍光トナーに混合される透明赤蛍光トナーだけによって形成されたベタ画像の分光スペクトルの一例を示すグラフである。この分光スペクトルは、前述のベタ画像に対し、特定波長の紫外線を照射して赤発光体を励起せしめながら、得られた光を分光測定器によって測定して得たものである。図示のように、この透明赤蛍光トナーは、励起光の照射により、可視領域の長波長帯(６００〜７００ｎｍ)の中心部で発光が顕著に現れ、それ以外の領域ではほとんど発光しない。
【００１５】
透明緑蛍光トナーを構成するトナー粒子は、透明の母材樹脂や、母材樹脂中に分散せしめられた緑発光体などからなるものである。かかるトナー粒子の集合からなる透明緑蛍光トナーは、室内光の下ではほぼ無色透明であるが、特定波長の紫外線が照射されると緑色に発光する性質を有している。特定波長の紫外線の照射によって緑色に発光する緑発光体としては、「Ｚｎ２ＳｉＯ４：Ｍｎ」、「ＬａＰＯ４：Ｃｅ，Ｔｂ」、「ＺｎＳ：Ｃｕ，Ａｌ」などが知られている。
【００１６】
図２は、実施形態に係る透明多色蛍光トナーに混合される透明緑蛍光トナーだけによって形成されたベタ画像の分光スペクトルの一例を示すグラフである。この分光スペクトルは、前述のベタ画像に対し、特定波長の紫外線を照射して緑発光体を励起せしめながら、得られた光を分光測定器によって測定して得たものである。図示のように、この透明緑蛍光トナーは、励起光の照射により、可視領域の中波長帯(５００〜６００ｎｍ)の中心部で発光が顕著に現れ、それ以外の領域ではほとんど発光しない。
【００１７】
透明青蛍光トナーを構成するトナー粒子は、透明の母材樹脂や、母材樹脂中に分散せしめられた青発光体などからなるものである。かかるトナー粒子の集合からなる透明青蛍光トナーは、室内光の下ではほぼ無色透明であるが、特定波長の紫外線が照射されると青色に発光する性質を有している。特定波長の紫外線の照射によって青色に発光する赤発光体としては、「ＭｇＷＯ４」、「ＢａＭｇＡｌ１０Ｏ１７：Ｅｕ」、「ＺｎＳ：Ａｇ」などが知られている。
【００１８】
図３は、実施形態に係る透明多色蛍光トナーに混合される透明青蛍光トナーだけによって形成されたベタ画像の分光スペクトルの一例を示すグラフである。この分光スペクトルは、前述のベタ画像に対し、特定波長の紫外線を照射して青発光体を励起せしめながら、得られた光を分光測定器によって測定して得たものである。図示のように、この透明青蛍光トナーは、励起光の照射により、可視領域の短波長帯(４００〜５００ｎｍ)の中心部で発光が顕著に現れ、それ以外の領域ではほとんど発光しない。
【００１９】
透明多色蛍光トナーは、これまで説明した透明赤蛍光トナー、透明緑蛍光トナー、透明青蛍光トナーをそれぞれ所定の比率で含有するものである。図１、２、３は、それぞれ１種類の透明蛍光トナーだけで形成したベタ画像の分光スペクトルを示しているが、実施形態に係る透明多色蛍光トナーのように、複数種類の透明蛍光トナーを含有している
【００２０】
図１に示される分光スペクトルは、透明赤蛍光トナーだけからなるトナーによって形成されたベタ画像についてのものであるが、トナー中に含まれる透明赤蛍光トナーの比率が変わると、分光スペクトルの波の高さが異なってくる。発光体を含有せず、紫外線を照射しても発光しない透明トナーを用意し、この透明トナーと、透明赤蛍光トナーとを混合したトナーを製造したとする。すると、図４に示されるように、そのトナー中における透明赤蛍光トナーの比率が少なくなるにつれて、分光スペクトルの波の高さが低くなる。透明緑蛍光トナーや透明青トナーも同様に、図５や図６に示されるように、その含有比率が少なくなるにつれて、分光スペクトルの波の高さが低くなる。
【００２１】
よって、実施形態に係る透明多色蛍光トナーは、透明赤蛍光トナーと、透明緑蛍光トナーと、透明青蛍光トナーとの比率に応じて、分光スペクトルの形状が全く異なってくる。それぞれを所定の比率で混合して得た透明多色蛍光トナーによって形成したベタ画像（室内光の下では透明）に特定波長の紫外線を照射して分光スペクトルを測定し、それを基準スペクトルとしてデータ記憶手段に記憶させておけば、印刷物の原複の判定に用いることが可能である。被検対象となる印刷物の所定箇所の分光スペクトルを測定し、それを基準スペクトルと照らし合わせればよいのである。
【００２２】
このような透明多色蛍光トナーは、トナー粒子の集合からなる粉状のトナーであり、溶媒などの液体を含有していないことから、液体の蒸発による分光スペクトルの変化を生ずることがない。このため、溶媒の蒸発によって分光スペクトルを変化させてしまう特許文献１の多色蛍光インクに比べて容易に取り扱うことができる。
【００２３】
また、実施形態に透明多色蛍光トナーに含有される透明赤蛍光トナー、透明緑蛍光トナー、透明青蛍光トナーは、何れも特定波長の励起光が照射されていないときには、無色透明である。このため、オリジナルの印刷物において、原複を判定するためのベタ画像が形成されていることを、第三者に知られ難くすることができる。
【００２４】
また、前述のベタ画像は、特定波長の励起光が照射されていないときには、殆ど視認されない無色透明の状態である。このようなベタ画像をスキャナで読み込んで複写した場合、前述のベタ画像は複写されないことから、複写によって得られた印刷物においては、オリジナルの印刷物で前述のベタ画像が形成されている領域が、トナーを全く付着させていない無垢の領域になる。かかる領域の分光スペクトルを測定しても、波形が全く得られないことから、被検対象の印刷物について、分光スペクトルの波形を精査することなく、複製物であることを容易に判定することができる。
【００２５】
なお、透明赤蛍光トナーのトナー粒子に含まれる赤発光体を発光させるための励起光（紫外線）の波長と、透明緑蛍光トナーのトナー粒子に含まれる緑発光体を発光させるための励起光の波長と、透明青蛍光トナーのトナー粒子に含まれる青発光体を発光させるための励起光の波長とは互いに異なっている。また、実施形態に係る透明多色蛍光トナーに含まれる透明蛍光トナーの発光色は、赤、緑、青に限定されるものではなく、様々な発光食の透明蛍光トナーを用いることが可能である。
【００２６】
次に、本発明を適用したトナー調合装置の一実施形態について説明する。
図７は、実施形態に係るトナー調合装置１００を示す概略構成図である。このトナー調合装置１００は、トナー定量供給手段として、第１定量供給ポンプ１０１、第２定量供給ポンプ１０２、第３定量供給ポンプ１０３、及び第４定量ポンプ１０４を有している。また、トナー撹拌室１０５、撹拌手段たる撹拌パドル１０６、排出ホッパー１０７、トナー排出部材１０８、トナーカセット１０９なども有している。
【００２７】
第１定量供給ポンプ１０１は、粉体の定量搬送に広く用いられている周知のモーノポンプからなる。この第１定量供給ポンプ１０１の吸引口には、トナー搬送管を介して、図示しない第１蛍光トナーカートリッジに接続されている。そして、この第１蛍光トナーカートリッジは、上述した透明赤蛍光トナーを収容している。第１定量供給ポンプ１０１が作動すると、図示しない第１蛍光トナーカートリッジ内の透明赤蛍光トナーが第１定量供給ポンプ１０１に吸引されながら、トナー撹拌室１０５内に定量供給される。
【００２８】
周知のモーノポンプからなる第２定量供給ポンプ１０２の吸引口には、トナー搬送管を介して、図示しない第２蛍光トナーカートリッジに接続されている。そして、この第２蛍光トナーカートリッジは、上述した透明緑蛍光トナーを収容している。第２定量供給ポンプ１０２が作動すると、図示しない第２蛍光トナーカートリッジ内の透明緑蛍光トナーが第２定量供給ポンプ１０２に吸引されながら、トナー撹拌室１０５内に定量供給される。
【００２９】
周知のモーノポンプからなる第３定量供給ポンプ１０３の吸引口には、トナー搬送管を介して、図示しない第３蛍光トナーカートリッジに接続されている。そして、この第３蛍光トナーカートリッジは、上述した透明青蛍光トナーを収容している。第３定量供給ポンプ１０３が作動すると、図示しない第３蛍光トナーカートリッジ内の透明青蛍光トナーが第３定量供給ポンプ１０３に吸引されながら、トナー撹拌室１０５内に定量供給される。
【００３０】
周知のモーノポンプからなる第４定量供給ポンプ１０４の吸引口には、トナー搬送管を介して、図示しない透明トナーカートリッジに接続されている。そして、この透明トナーカートリッジは、発光体を含まない透明トナー粒子の集合からなる透明トナーを収容している。第４定量供給ポンプ１０４が作動すると、図示しない透明トナーカートリッジ内の透明トナーが第４定量供給ポンプ１０４に吸引されながら、トナー撹拌室１０５内に定量供給される。
【００３１】
トナー撹拌室１０５内に供給された各種のトナーは、撹拌パドル１０６の回転駆動によって混合撹拌される。この混合撹拌により、透明赤蛍光トナー、透明緑蛍光トナー、及び透明青蛍光トナーをそれぞれ所定の比率で含有する透明多色蛍光トナーが調合される。なお、実施形態に係る透明多色蛍光トナーが調合される際には、第４定量供給ポンプ１０４による透明トナーの定量供給は行われない。透明トナーの供給は、後述する洗浄の際に行われる。
【００３２】
トナー撹拌室１０５の下方には、排出ホッパー１０７が配設されており、トナー撹拌室１０５内で調合された透明多色蛍光トナーは、自重によって排出ホッパー１０７内に落下する。そして、排出ホッパー１０７内のトナー排出部材１０８の回転駆動に伴って、排出ホッパー１０７内から排出されて、後述する特殊作像ユニットの現像装置内に補給される。
【００３３】
なお、第１定量供給ポンプ１０１、第２定量供給ポンプ１０２、第３定量供給ポンプ１０３の駆動速度や駆動時間を個々に調整することで、透明赤蛍光トナーと、透明緑蛍光トナーと、透明青蛍光トナーとの混合比率を調整する。この調整は、後述する画像形成装置の制御部による駆動制御によって行われる。ユーザーが画像形成装置の操作表示部に任意の比率を入力することで、制御部がそれらの定量供給ポンプの駆動速度や駆動時間を自動で計算して、その比率を実現した透明多色蛍光トナーを調合する。
【００３４】
かかる構成のトナー調合装置１００においては、第１定量供給ポンプ１０１、第２定量供給ポンプ１０２、第３定量供給ポンプ１０３によってそれぞれ互いに発光波長が異なる透明蛍光トナーをそれぞれ任意の比率でトナー撹拌室１０５に供給しながら撹拌することで、透明多色蛍光トナーを調合することができる。
【００３５】
トナー調合装置１００内で調合した透明多色蛍光トナーを全て使い切る前に、別の組成の透明多色蛍光トナーを調合したい場合がある。この場合は、次のようなトナー取り出し処理と、洗浄処理とを行った後に、新たな透明多色蛍光トナーを調合する。即ち、排出ホッパー１０７の底面には、透明多色蛍光トナーを図示しない現像装置に向けて排出するための図示しない第１排出口の他に、トナーカセット１０９に向けて排出するための図示しない第２排出口が設けられている。また、それぞれの排出口には、開口を開閉するための開閉シャッターが設けられている。トナーの調合を行う際には、第２排出口の開閉シャッターを閉じるとともに、第１排出口の開閉シャッターを開いて、排出ホッパー１０７から現像装置へのトナー排出を可能にしている。これに対し、トナー取り出し処理においては、第１排出口の開閉シャッターを閉じるとともに、第２排出口の開閉シャッターを開く。これにより、排出ホッパー１０７からトナーカセット１０９へのトナー排出を可能にする。
【００３６】
このようにしてトナーカセット１０９へのトナー排出を可能にした状態で、撹拌パドル１０６とトナー排出部材１０８とをそれぞれ回転駆動させる。これにより、トナー撹拌室１０５内や排出ホッパー１０７内に収容されていた透明多色蛍光トナーの殆どを、トナーカセット１０９に排出して回収する。その後、トナーカセット１０９をトナー調合装置１００から取り外すことで、トナー取り出し処理を終了する。
【００３７】
トナー取り出し処理を終えた作業者は、次に洗浄処理を行う。この洗浄処理では、まず、トナー調合装置１００に別のトナーカセット１０９を装着する。このトナーカセット１０９は、洗浄処理のために用いる専用のものである。上述したトナー取り出し処理で、トナー撹拌室１０５や排出ホッパー１０７からは殆どの透明多色蛍光トナーが排出されているが、それぞれの内部の壁や底などには、まだ微量の透明多色蛍光トナーが付着している。この状態のままで新たな透明多色蛍光トナーの調合を行うと、壁や底などに付着していた微量のトナーの混入により、調合後の透明多色蛍光トナーの分光スペクトルが正しいものにならなくなってしまう。
【００３８】
そこで、第１定量供給ポンプ１０１、第２定量供給ポンプ１０２、及び第３定量供給ポンプ１０３を停止させた状態で、第４定量供給ポンプ１０４だけを作動させて、トナー撹拌室１０５内に透明トナーだけを供給する。この透明トナーは、発光体を含有していないので、後に調合される透明多色蛍光トナーに混入したとしても、その量が僅かであれば、透明多色蛍光トナーの分光スペクトルに影響を及ぼすことがない。
【００３９】
第４定量供給ポンプ１０４の駆動を開始したら、上述した第１排出口の開閉シャッターを閉じ、且つ第２排出口の開閉シャッターを開いた状態で、撹拌パドル１０６やトナー搬送部材１０８の駆動を開始する。これにより、透明トナーをトナー撹拌室１０５や排出ホッパー１０７内で撹拌しながら、トナーカセット１０９に排出することで、それらの内部の壁や底に付着していた微量の透明多色蛍光トナーを透明トナーによって洗い流す。
【００４０】
その後、透明多色蛍光トナーの洗浄がほぼ完了した時点で、第４定量供給ポンプ１０４の駆動を停止させる。その後、撹拌パドル１０６やトナー排出部材１０８を所定時間だけ駆動させてトナー撹拌室１０５内や排出ホッパー１０７内の透明トナーのほぼ全量をトナーカセット１０９に排出して、洗浄処理を終了する。
【００４１】
このような洗浄処理を行うことで、新たに調合する透明多色蛍光トナーに対して、トナー撹拌室１０５や排出ホッパー１０７内に残留していた透明多色蛍光トナーを混入させることによる分光スペクトルの不適切化を抑えることができる。
【００４２】
次に、本発明を適用した画像形成装置の一実施形態について説明する。
図８は、実施形態に係る画像形成装置のプリンタ部２００を示す概略構成図である。画像形成装置のプリンタ部２００には、上述したトナー調合装置の他に、使用者からのコマンド入力や、使用者への装置の状態報知等を行うための操作表示部３００が設けられている。また、プリンタ部２００の上部には、スキャナ（原稿読取り部）３２０が配設されている。スキャナ３２０は、原稿を光学的に走査して画像の画像情報を読み取る。
【００４３】
画像形成装置の制御部２９０は、ＣＰＵ、ＲＡＭ、ＲＯＭ等で構成され、画像形成装置の動作を統括的に制御する。本画像形成装置の制御部２９０には、パーソナルコンピュータやファクシミリ装置等の外部入力機器（外部ホスト装置）４００が、インターフェースを介して通信可能に接続されている。スキャナ３２０から入力された画像情報や外部ホスト装置４００で作成した画像情報が制御部２９０に入力されることで、プリンタ部２００がプリンタとして機能する。
【００４４】
プリンタ部２００の内部には、無端状の中間転写ベルト２４１が配設されており、そのループ外周面のうち、鉛直方向上方を向きながらほぼ水平方向に延在した姿勢になっている面に対向するように、特殊作像ユニット２０１Ｓ、Ｙ作像ユニット２０１Ｙ，Ｍ作像ユニット２０１Ｍ，Ｃ作像ユニット２０１Ｃ，Ｋ作像ユニット２０１Ｋが同面に沿って並んでいる。なお、符号の末尾に付されたＳ，Ｙ，Ｍ，Ｃ，Ｋという添字は、蛍光色用，Ｙ（イエロー）用，Ｍ（マゼンタ）用，Ｃ（シアン）用，Ｋ（黒）用の機器であることを示している。
【００４５】
特殊作像ユニット２０１Ｓは、実施形態に係る透明多色蛍光トナーを用いて作像を行うユニットである。また、Ｙ作像ユニット２０１Ｙ，Ｍ作像ユニット２０１Ｍ，Ｃ作像ユニット２０１Ｃ，Ｋ作像ユニット２０１Ｋは、Ｙトナー，Ｍトナー，Ｃトナー，Ｋトナーを用いて作像を行うものである。
【００４６】
各作像ユニットは、使用するトナーが異なる点を除き、同様の電子写真プロセスでトナー像を形成する。作像ユニットの一部を構成しているドラム状の感光体（２０２Ｓ，Ｙ，Ｍ，Ｃ，Ｋ）の表面は、帯電装置（２０３Ｓ，Ｙ，Ｍ，Ｃ，Ｋ）によって所定の帯電電位まで一様に帯電される。
【００４７】
作像ユニット（２０１Ｓ，Ｙ，Ｍ，Ｃ，Ｋ）の上方には、潜像形成手段としてのレーザー走査機構２１０が配置されている。レーザー走査機構２１０は、入力される画像情報に基づいて、各色の作像ユニット（２０１Ｓ，Ｙ，Ｍ，Ｃ，Ｋ）の感光体（２０２Ｓ，Ｙ，Ｍ，Ｃ，Ｋ）の帯電後の表面部分に対し、それぞれ対応する静電潜像を形成するためのレーザー光を照射する。これにより、感光体（２０２Ｓ，Ｙ，Ｍ，Ｃ，Ｋ）の表面には静電潜像が形成される。
【００４８】
感光体（２０２Ｓ，Ｙ，Ｍ，Ｃ，Ｋ）の表面上の静電潜像は、現像装置（２０４Ｓ，Ｙ，Ｍ，Ｃ，Ｋ）によって現像される。これにより、感光体（２０２Ｓ，Ｙ，Ｍ，Ｃ，Ｋ）の表面上にトナー像が形成される。このようにして感光体（２０２Ｓ，Ｙ，Ｍ，Ｃ，Ｋ）の表面に形成されたトナー像は、中間転写ベルト４１上で互いに重なり合うように、中間転写ベルト４１の表面に一次転写される。なお、中間転写ベルト４１に転写されずに感光体（２０２Ｓ，Ｙ，Ｍ，Ｃ，Ｋ）上に残留した転写残トナーは、図示しないクリーニング装置によって感光体表面から除去される。その後、感光体（２０２Ｓ，Ｙ，Ｍ，Ｃ，Ｋ）の表面は、徐電ランプによって残留電位が除去され、次の画像形成に備えられる。
【００４９】
作像ユニット（２０１Ｓ，Ｙ，Ｍ，Ｃ，Ｋ）の現像装置（２０４Ｓ，Ｙ，Ｍ，Ｃ，Ｋ）は、トナーと磁性キャリア粒子とを混合した二成分現像剤を用いて現像処理を行う二成分現像装置である。この現像装置（２０４Ｓ，Ｙ，Ｍ，Ｃ，Ｋ）には、図示しないトナー補給装置が接続されている。制御部２９０は、Ｙ，Ｍ，Ｃ，Ｋ用の現像装置２０４Ｙ，Ｍ，Ｃ，Ｋの内部に収容される現像剤のトナー濃度を目標濃度に維持するために、必要に応じてトナー補給装置を駆動する。そして、Ｙ，Ｍ，Ｃ，Ｋ用の現像装置２０４Ｙ，Ｍ，Ｃ，Ｋにトナーボトル２８０Ｙ，Ｍ，Ｃ，Ｋ内のＹ，Ｍ，Ｃ，Ｋトナーを補給する。また、Ｓ用の現像装置２０４Ｓ内に収容される現像剤のトナー濃度を目標濃度に維持するために、必要に応じてトナー調合装置１００を駆動してＳ用の現像装置２０４Ｓ内に透明多色蛍光トナーを補給する。
【００５０】
プリンタ部２００の内部下部には、記録シートＰを複数枚重ねたシート束の状態で収容する給紙カセット２６０が設けられている。給紙カセット２６０にセットされた記録シートＰは、一枚ずつピックアップされて給紙カセット２６０から排出された後、レジストローラ対２６１に送られる。レジストローラ対２６１は、中間転写ベルト４１のおもて面と、二次転写ローラ４９とが対向する二次転写領域に中間転写ベルト４１上のトナー像が到達するタイミングに合わせて、記録シートＰを二次転写領域へ送り出す。
【００５１】
プリンタ部２００の内部には、記録シートＰの搬送経路における二次転写領域よりも記録シート搬送方向下流側に、定着装置２６５が設けられている。定着装置２６５は、加熱処理により、記録シートＰ上にトナー像を定着せしめる。その後、記録シートＰは、排紙トレイ２６６上に排出される。
【００５２】
トナー補給装置１００の図中左上には、透明赤蛍光トナーを収容している第１蛍光トナーカートリッジ１９０と、透明緑蛍光トナーを収容している第２蛍光トナーカートリッジ１９１と、透明青蛍光トナーを収容している第３蛍光トナーカートリッジ１９２と、透明トナーを収容している透明トナーカートリッジ１９３とが配設されている。これらに収容されているトナーは、上述したように、トナー補給装置１００による透明多色発光トナーの調合に用いられる。
【００５３】
印刷物としての印刷済み記録シートのオリジナルを作成する場合には、制御部２９０は、スキャナ３２０から送られてくる画像情報ではなく、外部入力機器４００から送られてくる画像情報に基づいて、記録シートＰに対して、Ｙ，Ｍ，Ｃ，Ｋトナー像の重ね合わせによるカラートナー像を形成する。このカラートナー像には、カラートナー像に付された識別コードを表すモノクロの識別コード文字からなる識別コード画像部が含まれている。この識別コード画像部は、記録シートＰにおける下側マージンの領域に形成される。
【００５４】
また、制御部２９０は、記録シートＰに画像を形成する際に、画像情報には含まれていなかった判定用ベタ画像を、実施形態に係る透明多色蛍光トナーによって記録シートＰの予め定められた領域に形成する。この領域は、下端マージン内であって且つ識別コード画像部と重ならない領域（以下、判定用画像形成領域という）である。なお、前述のベタ画像の形状やサイズなどは、予め制御部２９０のＲＯＭ内に記憶されている。
【００５５】
図９は、実施形態に係る画像形成装置のプリンタ部によって画像が形成された印刷済み記録シートＰｅの一例を示す模式図である。印刷済み記録シートＰｅに形成されている画像は、上述したカラートナー像の一部である主画像部Ｉａと、同じくカラートナー像の一部である識別コード画像部Ｉｂと、透明多色蛍光トナーによって形成された判定用ベタ画像部Ｉｃとからなる。
【００５６】
識別コード画像部Ｉｂは、上述したようにモノクロの画像部であり、主画像部Ｉａの識別情報を文字情報として表したものである。これに対し、判定用ベタ画像部Ｉｃは、室内光の下ではほとんど無色透明であることから、視認することは困難である。スキャナ３２０による画像の読み取りでは、この判定用ベタ画像部Ｉｃが読み取られることはない。このため、オリジナルの印刷済み記録シートＰｅを複写機でコピーした場合、そのシートの判定用画像形成領域には、判定用ベタ画像部Ｉｃの複製画像部が形成されず、判定用画像形成領域は無垢のシート表面になっている。
【００５７】
図１０は、実施形態に係る画像形成装置のスペクトル測定装置３５０を、外部入力機器４００とともに示すブロック構成図である。
画像形成装置のスペクトル測定装置３５０は、第１搬送ローラ対３５１、第２搬送ローラ対３５２、駆動モータ３５３、紫外線ランプ３５４、分光測定器３５５、ランプ電源３５６などを有している。スペクトル測定装置３５０の各機器は、外部入力機器４００によって駆動が制御される。
【００５８】
外部入力機器４００は、パーソナルコンピュータ等からなり、既に述べたように、プリンタ部（２００）に対して画像情報を入力する役割も担っている。そして、制御基板４０１、情報記憶手段としてのハードディスク４０２、液晶ディスプレイ等からなる表示装置４０３、キーボードやマウス等からなる入力装置４０４、Ａ／Ｄ（アナログ／デジタル）変換器４０５などを有している。また、制御基板４０１は、ＣＰＣ４０１ａ、ＲＡＭ４０１ｂ、ＲＯＭ４０１ｃ等を具備している。
【００５９】
外部入力装置４００とスペクトル測定装置３５０との組み合わせは、オリジナルの印刷物としての印刷済み記録シートＰｅに形成された判定用ベタ画像部（Ｉｃ）の分光スペクトルを測定してそのデータを判定用ベタ画像部（Ｉｃ）の識別情報に関連付けて記憶する役割を担っている。この役割を果たすために、オリジナルスペクトル記憶処理を実施して、オリジナルの分光スペクトルを識別情報に関連付けて記憶する。また、スペクトル測定装置３５０は、原複の判定対象となる印刷物についての原複の判定を支援するための判定支援装置としての役割も担っている。支援を行う際には、ユーザーからの命令に基づいて被検スペクトル測定表示処理を実施する。
【００６０】
ユーザーは、次のようにしてオリジナルスペクトル記憶処理の実施命令を外部入力機器４００に対して行う。即ち、スペクトル測定装置３５０の図示しない原稿台に印刷物としての印刷済み記録シートＰｅをセットされた後、入力装置４０４への入力操作によってオリジナルスペクトル記憶処理の実施命令を行う。すると、外部入力機器４００は、スペクトル測定装置３５０の駆動を制御して、印刷済み記録シートＰｅをスペクトル測定装置３５０の内部に取り込む。そして、スペクトル測定装置３５０の内部において、印刷済み記録シートＰｅを図中左側から右側に向けて搬送する。
【００６１】
スペクトル測定装置３５０の紫外線ランプ３５４は、紫外線波長帯域における互いに異なる特定波長で発光する第１光源、第２光源及び第３光源を具備している。第１光源の波長は、実施形態に係る透明多色蛍光トナーに含まれている透明赤蛍光トナーの赤発光体の励起波長と同じになっている。また、第２光源の波長は、実施形態に係る透明多色蛍光トナーに含まれている透明緑蛍光トナーの赤発光体の励起波長と同じになっている。また、第３光源の波長は、実施形態に係る透明多色蛍光トナーに含まれている透明青蛍光トナーの赤発光体の励起波長と同じになっている。つまり、第１光源，第２光源，第３光源は、透明赤蛍光トナー，透明緑蛍光トナー，透明青蛍光トナーを発光させるためのものである。
【００６２】
スペクトル測定装置３５０の分光測定装置３５５は、第１搬送ローラ対３５１や第２搬送ローラ対３５２の回転駆動によって搬送される印刷済み記録シートＰｅの全域のうち、上述した判定用画像形成領域に対向する位置に配設されている。外部入力機器４００は、印刷済み記録シートＰｅの搬送を開始した後、印刷済み記録シートＰｅの判定用画像形成領域が分光測定器３５５の直下に進入するタイミングを見計らって、第１搬送ローラ対３５１及び第２搬送ローラ対３５２の回転駆動を停止させる。そして、ランプ電源３５６の第１電源出力端子からの電源出力をオンにして、紫外線ランプ３５４の第１光源を発光させて赤発光体の励起波長の光を印刷済み記録シートＰｅの判定用画像形成領域に向けて照射する。その後、外部入力機器４００は、分光測定器３５５の駆動を制御して、印刷済み記録シートＰｅの判定用画像形成領域の分光スペクトルを測定した後、測定結果のデータをハードディスクする。
【００６３】
上述したように、実施形態に係る透明多色蛍光トナーに含まれる透明赤蛍光トナーの赤発光体、透明緑蛍光トナーの緑発光体、透明青蛍光トナーの青発光体は、それぞれ異なる波長の励起光が照射されることで発光するものである。紫外線ランプ３５４の第１光源を照射した状態では、それら発光体のうち、赤発光体だけしか発光しない。このため、先に測定した分光スペクトルは、赤発光体だけについての発光波長と発光強度との関係を示すものである。印刷済み記録シートＰｅの原複を判定するためには、他の２色の発光体についてもそれぞれ分光スペクトルを測定する必要がある。
【００６４】
そこで、外部入力機器４００は、次に、紫外線ランプ３５４の第１光源をオフにするとともに、第２光源をオンして緑発光体の励起光を印刷済み記録シートＰｅの判定用画像形成領域に向けて照射する。これによって緑発光体の発光を可能にした状態で分光測定器３５５の駆動を制御して、印刷済み記録シートＰｅの判定用画像形成領域の分光スペクトルを測定した後、測定結果のデータをハードディスクする。
【００６５】
その後、紫外線ランプ３５４の第２光源をオフにするとともに、第３光源をオンして青発光体の励起光を印刷済み記録シートＰｅの判定用画像形成領域に向けて照射する。これによって青発光体の発光を可能にした状態で分光測定器３５５の駆動を制御して、印刷済み記録シートＰｅの判定用画像形成領域の分光スペクトルを測定した後、測定結果のデータをハードディスクに記憶させる。
【００６６】
更に、外部入力機器４００は、ユーザーに対して印刷済み記録シートＰｅの主画像部（Ｉａ）の識別情報の入力を促すメッセージを表示装置４０３に表示させる。このメッセージに従ったユーザーが識別情報を入力すると、外部入力機器４００は、先に記憶しておいたオリジナルの赤発光体、緑発光体、青発光体についての分光スペクトルのデータをそれぞれ識別情報と関連付けて、データテーブルとしてのスペクトルデータベースに記憶し直す。
【００６７】
外部入力機器４００とスペクトル測定装置３５０との組み合わせは、このようにして、様々な印刷済み記録シートＰｅについて、オリジナルの判定用ベタ画像部（Ｉｃ）の分光スペクトルを測定及び記憶する。
【００６８】
図１１は、外部入力機器４００の制御部４０１によって実施されるオリジナルスペクトル記憶処理における各工程を示すフローチャートである。オリジナルスペクトル記憶処理を開始した制御部４０１は、まず、スペクトル測定装置（３５０）の駆動モータ（３５３）を所定時間だけ駆動して（ステップ１：以下、ステップをＳと記す）、オリジナルの印刷済み記録シートＰｅを分光測定器（３５５）の直下に搬送する。そして、紫外線ランプ（３５４）の第１光源をオンにしてから（Ｓ２）、印刷済み記録シートＰｅの判定用画像形成領域の分光スペクトルを測定、記憶する（Ｓ３）。
【００６９】
次に、制御部４０１は、第１光源をオフにするとともに第２光源をオンにした後（Ｓ４）、印刷済み記録シートＰｅの判定用画像形成領域の分光スペクトルを測定、記憶する（Ｓ５）。その後、第２光源をオフにするとともに第３光源をオンにして（Ｓ６）、印刷済み記録シートＰｅの判定用画像形成領域の分光スペクトルを測定、記憶する（Ｓ７）。このようにして判定用画像形成領域における赤発光体、緑発光体、青発光体の分光スペクトルを記憶したら、第３光源をオフにした後（Ｓ８）、ユーザーに対して識別情報の入力を促す（Ｓ９）。そして、ユーザーによって識別情報が入力されると（Ｓ１０でＹ）、予め記憶しておいた赤発光体、緑発光体、青発光体の分光スペクトルのデータを識別情報に関連付けてスペクトルデータベースに記憶し直す（Ｓ１１）。
【００７０】
一方、制御部４０１は、原複の被検対象となる印刷済み記録シートＰｅにおける判定用画像形成領域の分光スペクトルを測定し、その結果に基づいて原複の判定の支援を行うときには、被検スペクトル測定表示処理を実施する。ユーザーは、被検対象となる印刷済み記録シートＰｅを原稿台にセットした後、被検スペクトル測定表示処理の実行命令を入力する。すると、制御部４０１が被検スペクトル測定表示処理を開始する。
【００７１】
図１２は、外部入力機器４００の制御部４０１によって実施される被検スペクトル測定表示処理における各工程を示すフローチャートである。この被検スペクトル測定表示処理において、Ｓ１〜Ｓ１０の工程については、図１１に示されるＳ１〜Ｓ１０の工程と同様であるので、説明を省略する。
【００７２】
Ｓ１〜Ｓ１０の工程により、３つの分光スペクトル（以下、被検スペクトルという）を記憶した後、識別情報の入力が行われると、制御部４０１は、識別情報に対応する３つの分光スペクトルのデータをそれぞれオリジナルスペクトルとしてデータベースから読み込む（Ｓ１１）。そして、表示装置４０３に、スペクトル比較画面を表示させる（Ｓ１２）。その後、ユーザーから終了命令が入力されると（Ｓ１３でＹ）、被検スペクトル測定表示処理を終了する。
【００７３】
図１３は、上述のスペクトル比較画面を示す模式図である。このスペクトル比較画面は、第１スペクトル比較表示部９８０と、第２スペクトル比較表示部９８１と、第３スペクトル比較表示部９８２とを具備している。
【００７４】
第１スペクトル比較表示部９８０には、赤発光体についての被検スペクトルとオリジナルスペクトルとが１つのスペクトル座標平面上に重ねて表示される。また、第２スペクトル比較表示部９８１には、緑発光体についての被検スペクトルとオリジナルスペクトルとが１つのスペクトル座標平面上に重ねて表示される。また、第３スペクトル比較表示部９８２には、青発光体についての被検スペクトルとオリジナルスペクトルとが１つのスペクトル座標平面上に重ねて表示される。
【００７５】
オリジナルの印刷済み記録シートＰｅを単純に複写機で複写した場合には、図示のように、赤、緑、青の被検スペクトルが何れも殆ど発光強度を示さないグラフになる。これは、複製された印刷済み記録シートＰｅの判定用画像形成領域に、赤発光体、緑発光体、及び青発光体が全く付着していないからである。オリジナルの被検スペクトルと異なるものであることが一目瞭然であるので、被検対象について、複製品であることを容易に判定することができる。
【００７６】
なお、オリジナルを不正にコピーした者が、たとえ何らかの発光体を記録シートの判定用画像形成領域に付着させたとしても、赤、緑、青についてそれぞれオリジナルと全く同じ分光スペクトルを再現することは極めて困難である。このため、３つの比較表示部にそれぞれ表示される被検スペクトルとオリジナルスペクトルとの重なり具合をみることで、被検対象について複製品であることを容易に判定することができる。
【００７７】
赤発光体、緑発光体、青発光体についてそれぞれ、被検スペクトルとオリジナルスペクトルとを重ねて表示させるようにした例について説明したが、両者を並べて表示させるようにしてもよい。
【００７８】
また、記録シートの判定用画像形成領域に対して判定用ベタ画像部Ｉｃを１つだけ形成する例について説明したが、複数の判定用ベタ画像部Ｉｃを形成してもよい。例えば、図１４に示されるように、第１判定用ベタ画像部Ｉｃ１、第２判定用ベタ画像部Ｉｃ２、第３判定用ベタ画像部Ｉｃ３、及び第４判定用ベタ画像部Ｉｃ４を形成してもよい。この場合、それぞれの判定用ベタ画像部の形成に用いる透明多色蛍光トナーを互いに異ならせることが望ましい。透明赤蛍光トナーと透明緑蛍光トナーと透明青蛍光トナーとの混合比を互いに異ならせるのである。こうすることで、４つの判定用ベタ画像部についてそれぞれオリジナルスペクトルを異ならせることで、画像の複製をより困難にすることができる。
【００７９】
互いに分光スペクトルの異なる判定用ベタ画像部を形成する方法としては、主に２通りが考えられる。第１の方法は、プリンタ部内に対して記録シートを複数回に渡って通紙して、それぞれの通紙において互いに異なる判定用ベタ画像部を形成する方法である。具体的には、まず、１回目の通紙で主画像部Ｉａ、識別コード画像部Ｉｂ、及び第１判定用ベタ画像部Ｉｃ１を形成する。その後、透明多色蛍光トナーの調合をやり直した後、第１判定用ベタ画像部Ｉｃ１を形成している印刷済み記録シートを再びプリンタ部にセットする。そして、新たに調合した透明多色蛍光トナーにより、その印刷済み記録シートに第２判定用ベタ画像部Ｉｃ２を形成する。同様にして、透明多色蛍光トナーの調合と判定用ベタ画像部の形成とを繰り返す。
【００８０】
また、第２の方法は、形成する判定用ベタ画像部の数が増えた分だけ、特殊作像ユニット（２０１Ｓ）及びトナー調合装置（１００）を増設するのである。例えば、判定用ベタ画像部を４つ形成する場合には、前述の組み合わせを３つ増設するのである。そして、それぞれの組み合わせにおいて、互いに混合比率の異なる多色透明蛍光トナーを用いて、判定用ベタ画像部を形成するのである。
【００８１】
複数の判定用ベタ画像部を形成し、且つそれぞれの判定用ベタ画像部の形成に用いる透明多色蛍光トナーの混合比を変えることで、何らかの暗号を表現することが可能になる。より詳しくは、例えば図１５に示されるような混合比率表を準備しておく。透明赤蛍光トナーと透明緑蛍光トナーと透明青蛍光トナーとの混合比について、互いに異なる混合比にそれぞれ固有の記号を割り当てておくのである。こうすることで、複数の判定用ベタ画像部により、複数の記号の羅列からなる暗号を表現することが可能になる。
【００８２】
混合比については、次のようにして特定することが可能である。即ち、例えば透明赤蛍光トナーの混合比率であれば、図４に示されるように赤発光体の分光スペクトルにおけるピーク高さから特定することが可能である。分光スペクトルの最大ピークの高さが、比率＝１の場合における最大ピークの高さの何パーセントに相当するのかを求めれば、その結果が透明赤蛍光トナーの混合比率に相当する。透明緑蛍光トナー、透明青蛍光トナーの混合比率については、同様にして、図５、図６に示されるように、緑発光体、青発光体の分光スペクトルにおけるピーク高さに基づいて特定することができる。
【００８３】
以上に説明したものは一例であり、本発明は、次の態様毎に特有の効果を奏する。
［態様Ａ］
態様Ａは、トナー粒子の集合からなり且つ特定波長の光照射に伴って発光する粉状の蛍光トナーとして、互いに発光波長が異なる複数種類の蛍光トナー（例えば、透明赤蛍光トナー、透明緑蛍光トナー、透明青透明トナー）をそれぞれ特定の比率で含有していることを特徴とするものである。
【００８４】
［態様Ｂ］
態様Ｂは、態様Ａにおいて、前記複数種類の蛍光トナーとしてそれぞれ、特定波長の光が照射されていないときに無色透明であるものを用いたことを特徴とするものである。かかる構成では、既に説明したように、オリジナルの印刷物において、原複を判定するためのベタ画像が形成されていることを、第三者に知られ難くすることができる。更には、複製された印刷物について、分光スペクトルの波形を精査することなく、複製物であることを容易に判定することができる。
【００８５】
［態様Ｃ］
態様Ｃは、内部に収容しているトナーを撹拌手段（例えば撹拌パドル１０６）によって撹拌するためのトナー撹拌室（例えばトナー撹拌室１０５）と、トナー収容部（例えばトナーカートリッジ１９０〜１９２）に収容している蛍光トナーを定量しながら前記トナー撹拌室に供給する複数のトナー定量供給手段（例えば定量供給ポンプ１０１〜１０３）と、複数の前記トナー定量供給手段によって互いに発光波長が異なる蛍光トナーをそれぞれ任意の比率で前記トナー撹拌室に供給しながら前記撹拌手段によって撹拌することで、態様Ａ又はＢの多色蛍光トナーを調合する処理を実施する制御手段（例えば制御部２９０）とを有することを特徴とするものである。
【００８６】
［態様Ｄ］
態様Ｄは、態様Ｃにおいて、トナー収容部（例えば透明トナーカートリッジ１９３）に収容している非蛍光透明トナー（例えば透明トナー）を前記トナー撹拌室に供給する非蛍光透明トナー供給手段（例えば第４定量供給ポンプ１０４）と、前記トナー撹拌室内からトナーを排出するトナー排出手段（例えばトナー排出部材１０８）とを設けるとともに、複数の前記蛍光トナー定量供給手段の駆動を停止した状態で、前記非蛍光透明トナー供給手段によって非蛍光透明トナーを前記トナー撹拌室に供給しながら、前記トナー排出手段によって前記トナー撹拌室内からトナーを排出することで、前記トナー撹拌室内の蛍光トナーを非蛍光透明トナーによって洗い流す洗浄処理を実施するように、前記制御手段を構成したことを特徴とするものである。かかる構成では、既に説明したように、新たに調合する多色蛍光トナーに対して、トナー撹拌室に残留していた透明多色蛍光トナーを混入させることによる分光スペクトルの不適切化を抑えることができる。
【００８７】
［態様Ｅ］
態様Ｅは、ユーザーから与えられた画像情報に基づいて、有色トナーを用いて有色トナー像を作像する有色作像手段（例えば作像ユニット２０１Ｙ，Ｍ，Ｃ，Ｋ）と、前記有色作像手段によって作像されたトナー像を記録シートに定着せしめる定着手段（例えば定着装置２６６）とを備える画像形成装置において、態様Ａ又はＢの多色蛍光トナーを用いて多色蛍光トナー像を作像する蛍光作像手段（例えばＳ作像ユニット２０１Ｓ）と、態様Ｃ又はＤのトナー調合装置とを設け、前記トナー調合装置によって調合された態様Ａ又はＢの多色蛍光トナーを前記蛍光作像手段に供給するようにしたことを特徴とするものである。
【００８８】
［態様Ｆ］
態様Ｆは、態様Ｅにおいて、記録シートに定着された前記多色蛍光トナー像の分光スペクトルを測定するスペクトル測定手段（例えばスペクトル測定装置３５０）と、前記スペクトル測定手段によって測定された分光スペクトルのデータを所定の識別情報に関連付けてデータテーブルとして記憶する情報記憶手段（例えばハードディスク４０２）とを設けたことを特徴とするものである。
【００８９】
［態様Ｇ］
態様Ｇは、印刷物についてのオリジナルであるか否かの判定を支援するための判定支援装置（例えば、スペクトル測定装置３５０及び外部入力装置４００）において、態様Ａ又はＢの多色蛍光トナーによって形成されたベタ画像の分光スペクトルのスデータを記憶している情報記憶手段と、被検対象となる印刷物の所定箇所に形成されているベタ画像の分光スペクトルを測定するスペクトル測定手段と、前記スペクトル測定手段によって測定された分光スペクトルのグラフを、前記情報記憶手段に記憶されている分光スペクトルのグラフと重ねてあるいは並べて表示する表示手段（例えば表示装置４０３）とを備えることを特徴とするものである。
【符号の説明】
【００９０】
１００：トナー調合装置
１０１：第１定量供給ポンプ（トナー定量供給手段）
１０２：第２定量供給ポンプ（トナー定量供給手段）
１０３：第３定量供給ポンプ（トナー定量供給手段）
１０４：第４定量供給ポンプ（非蛍光透明トナー供給手段）
１０５：トナー撹拌室
１０６：撹拌パドル（撹拌手段）
１０８：トナー排出部材（排出手段）
２００：プリンタ部（画像形成装置の一部）
２０１Ｓ：Ｓ作像ユニット（蛍光作像手段）
２０１Ｙ，Ｍ，Ｃ，Ｋ：Ｙ，Ｍ，Ｃ，Ｋ作像ユニット（有色作像手段）
２６６：定着装置（定着手段）
２９０：制御部（制御手段、判定支援装置の一部、画像形成装置の一部）
３５０：スペクトル測定装置（スペクトル測定手段、判定支援装置の一部）
４０２：ハードディスク（情報記憶手段）
４０３：表示装置（表示手段）
【先行技術文献】
【特許文献】
【００９１】
【特許文献１】特開２００６−２７４０９７号公報
【図１】
2014013267.tif 000003
【図２】
2014013267.tif 000004
【図３】
2014013267.tif 000005
【図４】
2014013267.tif 000006
【図５】
2014013267.tif 000007
【図６】
2014013267.tif 000008
【図７】
2014013267.tif 000009
【図８】
2014013267.tif 000010
【図９】
2014013267.tif 000011
【図１０】
2014013267.tif 000012
【図１１】
2014013267.tif 000013
【図１２】
2014013267.tif 000014
【図１３】
2014013267.tif 000015
【図１４】
2014013267.tif 000016
【図１５】
2014013267.tif 000017